Podtech/llm-jp-corpus-v4-ja_patent huggingface dataset:
【手続補正書】
【提出日】令和1年9月5日(2019.9.5)
【手続補正１】
【補正対象書類名】特許請求の範囲
【補正対象項目名】全文
【補正方法】変更
【補正の内容】
【特許請求の範囲】
【請求項１】
遊技者にとって有利な有利状態に制御可能な遊技機であって、
動作可能に設けられた可動体と、
前記可動体の動作を制御する制御手段と、
複数の設定値のうちのいずれかの設定値を設定可能な設定手段と、
前記設定手段によって設定された設定値にもとづいて前記有利状態に関する制御を実行可能な遊技制御手段と、
を備え、
特定条件が成立したときに前記設定手段による設定値の設定を行うことが可能な設定状態に移行し、
前記制御手段は、
前記可動体が正常に動作可能であることを確認するための確認動作を前記可動体に行わせるための確認動作制御を、前記設定状態に移行したときと前記設定状態が終了したときとに実行可能であり、
前記設定状態に移行したときの確認動作制御により前記可動体が確認動作を行っているときに前記設定状態が終了した場合は、該設定状態が終了したことによる確認動作制御は実行しない、
ことを特徴とする遊技機。
【手続補正２】
【補正対象書類名】明細書
【補正対象項目名】０００２
【補正方法】変更
【補正の内容】
【０００２】
従来、設定値の変更操作にもとづいて可動体の確認動作を実行するパチンコ遊技機がある（例えば、特許文献１参照）。
【手続補正３】
【補正対象書類名】明細書
【補正対象項目名】０００３
【補正方法】変更
【補正の内容】
【０００３】
【特許文献１】特開２０１７−１８９３４９号公報
【手続補正４】
【補正対象書類名】明細書
【補正対象項目名】０００４
【補正方法】変更
【補正の内容】
【０００４】
しかしながら、特許文献１に記載されているパチンコ遊技機にあっては、設定値の変更中に可動体の確認動作を実行すると、作業者が該確認動作を見逃すことが考えられる。そこで、設定値の変更操作の終了後に再度確認動作を実行することが考えられるが、この場合は、１回目の可動体の確認動作中に設定値の変更操作が終了すると、該変更操が終了したタイミングから新たな可動体の確認動作が開始されることとなり、意図しない動作を可動体が行ってしまう虞があるという問題がある。
【手続補正５】
【補正対象書類名】明細書
【補正対象項目名】０００５
【補正方法】変更
【補正の内容】
【０００５】
本発明は、このような問題点に着目してなされたもので、意図しない動作を可動体が行ってしまうことを防ぐことができる遊技機を提供することを目的とする。
【手続補正６】
【補正対象書類名】明細書
【補正対象項目名】０００６
【補正方法】変更
【補正の内容】
【０００６】
手段１の遊技機は、
遊技者にとって有利な有利状態（例えば、大当り遊技状態）に制御可能な遊技機（例えば、パチンコ遊技機１）であって、
動作可能に設けられた可動体（例えば、第１可動体２０７ＳＧ３２１と第２可動体２０７ＳＧ３２２）と、
前記可動体の動作を制御する制御手段（例えば、演出制御用ＣＰＵ１２０が第１可動体初期化処理や第２可動体初期化処理を実行する部分）と、
複数の設定値（例えば、設定値としての１〜６）のうちのいずれかの設定値を設定可能な設定手段（例えば、ＣＰＵ１０３が図９−２２に示す設定値変更処理を実行する部分）と、
前記設定手段によって設定された設定値にもとづいて前記有利状態に関する制御を実行可能な遊技制御手段（例えば、ＣＰＵ１０３が特別図柄プロセス処理を実行する部分）と、
を備え、
特定条件が成立したときに前記設定手段による設定値の設定を行うことが可能な設定状態に移行し（例えば、図９−２０に示すように、パチンコ遊技機１の起動時にクリアスイッチ、錠スイッチ２０７ＳＧ０５１、開放センサ２０７ＳＧ０９０がそれぞれＯＮである場合に、ＣＰＵ１０３が設定値変更処理を実行する部分）、
前記制御手段は、
前記可動体が正常に動作可能であることを確認するための確認動作を前記可動体に行わせるための確認動作制御（例えば、実動作確認動作制御）を、前記設定状態に移行したときと前記設定状態が終了したときとに実行可能であり（例えば、図９−３５に示すように、演出制御用ＣＰＵ１２０が、設定値変更開始通知コマンドや設定値確認開始通知コマンドを受信したタイミングから、実動作確認動作制御を含む第１可動体初期化処理と第２可動体初期化処理とを順番に実行する部分と、設定値変更終了通知コマンドや設定値確認終了通知コマンドを受信したタイミングから実動作確認動作制御を含む第１可動体初期化処理と第２可動体初期化処理とを順番に実行する部分）、
前記設定状態に移行したときの確認動作制御により前記可動体が確認動作を行っているときに前記設定状態が終了した場合は、該設定状態が終了したことによる確認動作制御は実行しない（例えば、図９−３５（Ｃ）に示すように、演出制御用ＣＰＵ１２０が設定値変更開始通知コマンドや設定値確認開始通知コマンドを受信したことにもとづいて実行中の第２可動体初期化処理中に演出制御用ＣＰＵ１２０が設定値変更終了通知コマンドや設定値確認終了通知コマンドを受信した場合は、演出制御用ＣＰＵ１２０が設定値変更終了通知コマンドや設定値確認終了通知コマンドを受信したことにもとづく第１可動体初期化処理と第２可動体初期化処理とを実行しない部分）、
ことを特徴としている。
この特徴によれば、意図しない動作を可動体が行ってしまうことを防ぐことができる。
【手続補正書】
【提出日】令和1年8月2日(2019.8.2)
【手続補正１】
【補正対象書類名】特許請求の範囲
【補正対象項目名】全文
【補正方法】変更
【補正の内容】
【特許請求の範囲】
【請求項１】
可変表示を実行可能な遊技機であって、  
可変表示に対応した情報の表示制御を実行する表示制御手段と、
遊技者にとって有利な有利状態に制御されるかを報知する報知演出を実行可能な報知演出実行手段と、を備え、 
前記表示制御手段は、第１情報表示領域において、可変表示に対応した第１情報の表示制御を実行可能であると共に、前記第１情報表示領域とは異なる第２情報表示領域において、第１情報に対応した可変表示と共通の可変表示に対応した第２情報の表示制御を実行可能であり、  
第１情報の態様が変化したときに、前記第１情報表示領域とは異なる表示領域における予告演出の少なくとも一部を実行しない  
ことを特徴とする遊技機。
【手続補正２】
【補正対象書類名】明細書
【補正対象項目名】０００６
【補正方法】変更
【補正の内容】
【０００６】
手段Ｌ１の遊技機は、  
可変表示（特別図柄の変動表示、飾り図柄の変動表示）を実行可能な遊技機（パチンコ遊技機１）であって、  
可変表示に対応した情報（第１保留表示３０ＴＭ００１、第２保留表示３０ＴＭ００２、アクティブ表示３０ＴＭ００３、副保留表示３０ＴＭ００４、副アクティブ表示３０ＴＭ００５）の表示制御を実行する表示制御手段（演出制御用ＣＰＵ１２０）と、
遊技者にとって有利な有利状態（大当り遊技状態）に制御されるか否かを報知する報知演出（リーチ演出）を実行可能な報知演出実行手段（演出制御用ＣＰＵ１２０）と、を備え、
前記表示制御手段は、第１情報表示領域（第１保留表示領域３０ＴＭ１０１、アクティブ表示領域３０ＴＭ１０３）において、可変表示に対応した第１情報（第１保留表示３０ＴＭ００１、アクティブ表示３０ＴＭ００３）の表示制御を実行可能であると共に、前記第１情報表示領域とは異なる第２情報表示領域（副保留表示領域３０ＴＭ１０４、副アクティブ表示領域３０ＴＭ１０５）において、第１情報に対応した可変表示と共通の可変表示に対応した第２情報（副保留表示３０ＴＭ００４、副アクティブ表示３０ＴＭ００５）の表示制御を実行可能であり、  
第１情報の態様が変化したときに、前記第１情報表示領域とは異なる表示領域における予告演出の少なくとも一部を実行しない（図１１−１１に示すように、第１保留表示３０ＴＭ００１の態様が変化したときには、副保留表示領域３０ＴＭ１０４に副保留表示３０ＴＭ００４が表示されず副アクティブ表示領域３０ＴＭ１０５に副アクティブ表示３０ＴＭ００５が表示されない）  
ことを特徴とする。  
このような構成によれば、共通の可変表示に対応した情報として、第１情報及び第２情報という複数種類の情報を表示可能な遊技機において、演出の複雑化を抑制し、興趣を向上させることができる。
【手続補正書】
【提出日】令和1年8月20日(2019.8.20)
【手続補正１】
【補正対象書類名】特許請求の範囲
【補正対象項目名】全文
【補正方法】変更
【補正の内容】
【特許請求の範囲】
【請求項１】
可変表示を行い、遊技者にとって有利な有利状態に制御可能な遊技機であって、
可変表示に対応した対応表示を表示可能な表示制御手段と、
前記対応表示の態様が変化することを示唆する変化示唆演出を実行可能な変化示唆演出実行手段と、を備え、
前記対応表示の態様に応じて、前記有利状態に制御される割合が異なり、
前記変化示唆演出は、前記対応表示が変化する成功パターンと、前記対応表示が変化しない失敗パターンと、を含み、
前記成功パターンの実行回数に応じて、所定期間内に次の前記変化示唆演出が実行される割合が異なり、
前記成功パターンが連続して実行される回数に応じて、前記対応表示が何れの態様となるかの割合が異なる、
ことを特徴とする遊技機。
【手続補正２】
【補正対象書類名】明細書
【補正対象項目名】０００６
【補正方法】変更
【補正の内容】
【０００６】
手段ＭＡの遊技機は、
可変表示を行い、遊技者にとって有利な有利状態に制御可能な遊技機であって、
可変表示に対応した対応表示を表示可能な表示制御手段と、
前記対応表示の態様が変化することを示唆する変化示唆演出を実行可能な変化示唆演出実行手段と、を備え、
前記対応表示の態様に応じて、前記有利状態に制御される割合が異なり、
前記変化示唆演出は、前記対応表示が変化する成功パターンと、前記対応表示が変化しない失敗パターンと、を含み、
前記成功パターンの実行回数に応じて、所定期間内に次の前記変化示唆演出が実行される割合が異なり、
前記成功パターンが連続して実行される回数に応じて、前記対応表示が何れの態様となるかの割合が異なる、
ことを特徴とする。
また、手段Ｍ１の遊技機として、
可変表示（特別図柄の変動表示、飾り図柄の変動表示）を実行可能な遊技機（パチンコ遊技機１）であって、
可変表示に対応した対応表示（アクティブ表示３０ＴＭ００３）を表示可能な表示制御手段（演出制御用ＣＰＵ１２０）と、
対応表示の態様が変化することを示唆する変化示唆演出を実行可能な変化示唆演出実行手段（演出制御用ＣＰＵ１２０）と、を備え、
前記変化示唆演出実行手段は、変化示唆演出として、成功態様の変化示唆演出（図１１−１８（１）、（２）に示すように、キャラクタが投げたボールがアクティブ表示３０ＴＭ００３に命中して表示態様を変化させる演出）と、失敗態様の変化示唆演出（図１１−１９（１０）、（２０）に示すように、キャラクタが投げたボールがアクティブ表示３０ＴＭ００３に弾かれて表示態様を変化させない演出）を実行可能であり、
成功態様の変化示唆演出の実行回数に応じて、所定期間内（例えば、変動開始からリーチ状態が成立するまでの期間内、変動開始から飾り図柄（仮停止後に再変動（擬似連）が行われることになる飾り図柄の組み合わせ又は擬似連図柄）が仮停止するまでの期間内、変動開始から左中右の何れかの飾り図柄が最初に停止するまでの期間内）に次の変化示唆演出が実行される割合が異なる（例えば、図１１−１６に示すように、２回目の変化示唆演出が実行された段階において、２回とも成功態様だった場合には１００％の割合で３回目の変化示唆演出が実行され、１回が成功態様であり１回が失敗態様だった場合には３回目の変化示唆演出が実行されない場合がある）
ことを特徴としてもよい。
このような構成によれば、変化示唆演出の実行回数に対する注目度合いを高めて、興趣を向上させることができる。
【手続補正書】
【提出日】令和1年7月12日(2019.7.12)
【手続補正１】
【補正対象書類名】特許請求の範囲
【補正対象項目名】全文
【補正方法】変更
【補正の内容】
【特許請求の範囲】
【請求項１】
可変表示を行い、遊技者にとって有利な有利状態に制御可能な遊技機であって、
遊技者にとっての有利度が異なる複数の設定値のうちいずれかの設定値に設定可能な設定手段と、
設定変更許可操作にもとづいて前記設定手段による設定値の変更を許可する変更許可状態に制御可能な設定制御手段と、
可変表示の表示結果と遊技状態に関する情報を含む遊技関連情報を複数表示する情報表示手段と、を備え、
停電復旧操作がされた場合、該停電復旧操作前に表示されていたうちの全ての前記遊技関連情報が表示され、
前記設定変更許可操作がされた場合、前記変更許可状態の終了後に可変表示の表示結果として前記停電復旧操作後に表示される前記遊技関連情報と共通の内容が表示可能である一方で、前記変更許可状態の終了後に該設定変更許可操作前の遊技状態に関する情報が表示されない
ことを特徴とする遊技機。
【手続補正２】
【補正対象書類名】明細書
【補正対象項目名】０００２
【補正方法】変更
【補正の内容】
【０００２】
設定値を設定可能なパチンコ遊技機として、例えば、特許文献１に記載されているものが提案されている。特許文献１に記載の遊技機では、設定変更処理を行ったときに、設定値以外の記憶内容をクリアするようになっている。さらに、リーチ演出の開始時に、リーチ演出の種類を報知するタイトル表示を行う遊技機が提案されている。
【手続補正３】
【補正対象書類名】明細書
【補正対象項目名】０００３
【補正方法】変更
【補正の内容】
【０００３】
【特許文献１】特開２０１０−２００９０２号公報
【手続補正４】
【補正対象書類名】明細書
【補正対象項目名】０００４
【補正方法】変更
【補正の内容】
【０００４】
特許文献１に記載されたような遊技機において、設定変更時に保持されていた情報の扱いに関して改善の余地があった。
【手続補正５】
【補正対象書類名】明細書
【補正対象項目名】０００５
【補正方法】変更
【補正の内容】
【０００５】
この発明は、上記の実状に鑑みてなされたものであり、設定変更時に情報を好適に保持して、設定変更の有無の判別を困難にした遊技機を提供することを目的とする。
【手続補正６】
【補正対象書類名】明細書
【補正対象項目名】０００６
【補正方法】変更
【補正の内容】
【０００６】
（Ａ）上記目的を達成するため、本願発明に係る遊技機は、
可変表示を行い、遊技者にとって有利な有利状態（例えば大当り遊技状態など）に制御可能な遊技機（例えばパチンコ遊技機１など）であって、
遊技者にとっての有利度が異なる複数の設定値のうちいずれかの設定値（例えば設定値１〜３のいずれかなど）に設定可能な設定手段（例えばステップＳａ１３の設定変更処理を実行するＣＰＵ１０３など）と、
設定変更許可操作にもとづいて前記設定手段による設定値の変更を許可する変更許可状態に制御可能な設定制御手段（例えばステップＳａ６、Ｓａ１２を実行するＣＰＵ１０３など）と、
可変表示の表示結果と遊技状態に関する情報を含む遊技関連情報を複数表示する情報表示手段（例えば情報表示装置１０９ＡＫ００１）と、を備え、
停電復旧操作がされた場合、該停電復旧操作前に表示されていたうちの全ての前記遊技関連情報が表示され（例えば図２２−３、図２２−４）、
前記設定変更許可操作がされた場合、前記変更許可状態の終了後に可変表示の表示結果として前記停電復旧操作後に表示される前記遊技関連情報と共通の内容が表示可能である一方で、前記変更許可状態の終了後に（該変更許可操作前に表示されていたうちの）該設定変更許可操作前の遊技状態に関する情報が表示されない（例えば図２２−６）。
このような構成によれば、設定変更の有無の判別を困難にすることができる。
また、従来の遊技機として、特開２０１６−１０１４２８号公報で示されているような、リーチ演出の開始時に、リーチ演出の種類を報知するタイトル表示を行う遊技機がある。このような遊技機において、さらに、演出効果を高めることが望まれている。
（１）上記目的を達成するため、他の態様に係る遊技機は、
遊技者にとって有利な有利状態（例えば大当り遊技状態）に制御可能な遊技機（例えばパチンコ遊技機１）であって、
前記有利状態に制御されることを示唆する示唆演出（例えばリーチ演出）を実行可能な示唆演出実行手段（例えば演出制御用ＣＰＵ１２０）と、
前記示唆演出に対応したタイトルを報知可能なタイトル報知手段（例えば演出制御用ＣＰＵ１２０）と、を備え、
前記タイトル報知手段は、前記示唆演出の開始から所定期間経過したときに当該示唆演出に対応したタイトルを報知可能である（例えば図９（Ｄ）、（Ｆ））。
このような構成によれば、演出効果を高めることができる。
【手続補正書】
【提出日】令和1年10月21日(2019.10.21)
【手続補正１】
【補正対象書類名】特許請求の範囲
【補正対象項目名】全文
【補正方法】変更
【補正の内容】
【特許請求の範囲】
【請求項１】
当否判定結果を示す識別図柄が変動を開始してから当否判定結果を示す態様で停止するまでの報知演出中に特定演出が発生する場合がある遊技機であって、
前記報知演出中にて前記特定演出が発生した場合、その後当該報知演出中に発生しうる演出として、
一回の前記特定演出の発生が発生条件とされている第一演出と、
複数回の前記特定演出の発生が発生条件とされている第二演出と、
が設定されていることを特徴とする遊技機。
【手続補正書】
【提出日】令和1年9月27日(2019.9.27)
【手続補正１】
【補正対象書類名】特許請求の範囲
【補正対象項目名】全文
【補正方法】変更
【補正の内容】
【特許請求の範囲】
【請求項１】
特定条件の成立により、通常の通常遊技状態より遊技者に有利な有利遊技状態にて遊技を制御する遊技機であって、
遊技者が操作可能な第１操作部と、
遊技者が操作可能な第２操作部と、
所定の演出を実行可能な演出制御手段と、を備え、
前記演出制御手段は、
前記第１操作部の操作を促す操作促進演出を実行可能であり、
前記有利遊技状態になる場合に、前記操作促進演出が実行されている途中で、前記第２操作部が操作されることなく前記第１操作部が操作されることにより、第１演出を実行することがあり、
前記有利遊技状態になる場合に、前記操作促進演出が実行されているときに前記第１操作部および前記第２操作部の何れも操作されることなく当該操作促進演出が終了することにより、前記第１演出を実行することがあり、
前記有利遊技状態になる場合に、前記操作促進演出が実行されている途中で、前記第１操作部が操作されることなく前記第２操作部が操作されることにより、前記第１演出と異なる第２演出を実行することがあることを特徴とする遊技機。
【手続補正２】
【補正対象書類名】明細書
【補正対象項目名】０００７
【補正方法】変更
【補正の内容】
【０００７】
本発明に係る遊技機は、
特定条件の成立により、通常の通常遊技状態より遊技者に有利な有利遊技状態にて遊技を制御する遊技機であって、
遊技者が操作可能な第１操作部と、
遊技者が操作可能な第２操作部と、
所定の演出を実行可能な演出制御手段と、を備え、
前記演出制御手段は、
前記第１操作部の操作を促す操作促進演出を実行可能であり、
前記有利遊技状態になる場合に、前記操作促進演出が実行されている途中で、前記第２操作部が操作されることなく前記第１操作部が操作されることにより、第１演出を実行することがあり、
前記有利遊技状態になる場合に、前記操作促進演出が実行されているときに前記第１操作部および前記第２操作部の何れも操作されることなく当該操作促進演出が終了することにより、前記第１演出を実行することがあり、
前記有利遊技状態になる場合に、前記操作促進演出が実行されている途中で、前記第１操作部が操作されることなく前記第２操作部が操作されることにより、前記第１演出と異なる第２演出を実行することがあることを特徴とする。
【手続補正書】
【提出日】令和1年11月8日(2019.11.8)
【手続補正１】
【補正対象書類名】特許請求の範囲
【補正対象項目名】全文
【補正方法】変更
【補正の内容】
【特許請求の範囲】
【請求項１】
遊技が可能な遊技機であって、
装飾手段と、
画像を表示可能な表示手段と、
前記表示手段に前記装飾手段に関連する態様の特定画像を移動表示させる特定演出を実行可能な特定演出実行手段と、
を備え、
遊技者の動作に応じて遊技に関する演出設定が可能であり、
前記演出設定をする際に該演出設定による調整状況を表示可能であり、
第１状態中は遊技者の動作に関わらず前記調整状況を視認可能に表示し、
前記第１状態とは異なる状態であって所定演出を実行する第２状態中は、前記調整状況を視認困難または視認不可能とし、遊技者の動作に基づいて、前記調整状況を所定期間が経過するまで表示可能であり、
前記第１状態で遊技者の動作を検知した場合は、前記所定期間が経過したとしても前記調整状況の表示を継続する
ことを特徴とする遊技機。
【手続補正２】
【補正対象書類名】明細書
【補正対象項目名】０００８
【補正方法】変更
【補正の内容】
【０００８】
上記課題を解決するために、本発明の手段１の遊技機は、
遊技が可能な遊技機（例えば、パチンコ遊技機１）であって、
装飾手段（例えば、ロゴパネル４００）と、
画像を表示可能な表示手段（例えば、演出表示装置５）と、
前記表示手段に前記装飾手段に関連する態様の特定画像を移動表示させる特定演出を実行可能な特定演出実行手段（例えば、図５（Ｄ）に示すように、演出制御用ＣＰＵ１２０が、演出表示装置５の表示領域５Ａに、ロゴパネル４００に関連する態様の画像としてパネル画像Ｚを下方へ向けて移動表示させるパネル表示演出を実行可能である部分）と、
を備え、
遊技者の動作に応じて遊技に関する演出設定が可能であり、
前記演出設定をする際に該演出設定による調整状況を表示可能であり、
第１状態中は遊技者の動作に関わらず前記調整状況を視認可能に表示し、
前記第１状態とは異なる状態であって所定演出を実行する第２状態中は、前記調整状況を視認困難または視認不可能とし、遊技者の動作に基づいて、前記調整状況を所定期間が経過するまで表示可能であり、
前記第１状態で遊技者の動作を検知した場合は、前記所定期間が経過したとしても前記調整状況の表示を継続する
ことを特徴としている。
この特徴によれば、演出の演出効果を向上させることができる。
【手続補正書】
【提出日】令和1年9月6日(2019.9.6)
【手続補正１】
【補正対象書類名】特許請求の範囲
【補正対象項目名】全文
【補正方法】変更
【補正の内容】
【特許請求の範囲】
【請求項１】
判定を行う判定手段と、
前記判定手段による判定にて所定の結果が得られたことに基づいて遊技者に特典を付与しうる特典付与手段と、
遊技者による操作によって演出受付が許容される受付演出を発生させる受付演出実行手段と
を備え、
前記受付演出として、少なくとも第１の受付演出及び第２の受付演出が用意されており、
前記第１の受付演出は、
特定ＢＧＭが非抑制態様で可聴出力されているなかで発生しうるものであり、当該第１の受付演出が発生する場合は受付許容音が非抑制態様で可聴出力されうるようになっており、
前記第２の受付演出は、
非抑制態様で可聴出力されている前記特定ＢＧＭが抑制態様で可聴出力される状態または可聴出力されない状態になってから発生しうるものであり、当該第２の受付演出が発生する場合は受付許容音が非抑制態様で可聴出力されうるようになっており、
さらに、
前記第１の受付演出と前記第２の受付演出とでは遊技者に対して同じ操作を対象にした操作機会が付与されうるが、前記第１の受付演出に対応する演出受付が許容される期間内では、前記受付許容音の可聴出力が行われている状態である操作促進可聴状態が相対的に短い第一時間で終了され、前記第２の受付演出に対応する演出受付が許容される期間内では、前記受付許容音の可聴出力が行われている状態である操作促進可聴状態が前記第一時間よりも長い第二時間にわたって継続されるようにされており、
前記第１の受付演出及び前記第２の受付演出のうち少なくとも前記第１の受付演出では、前記受付許容音の可聴出力が行われている状態である前記操作促進可聴状態が終了された以降も、当該受付演出に対応する演出受付が許容される期間が継続されうるようになっており、
さらに、
前記第１の受付演出と前記第２の受付演出とは、１つの変動パターン内で順次に発生しうるものであり、
さらに、
前記特定ＢＧＭが抑制態様で可聴出力される状態または可聴出力されない状態になってから前記第２の受付演出が発生する場合は、演出受付が許容されることに関連したメッセージ表示が表示されるが、前記特定ＢＧＭが非抑制態様で可聴出力されているなかで前記第１の受付演出が発生する場合は、演出受付が許容されることに関連したメッセージ表示が表示されないようになっており、前記メッセージ表示は、前記第２の受付演出に対応する受付後演出が実行開始される時点においても非表示の状態にされておらず表示状態を維持しうる
ことを特徴とする遊技機。
【手続補正２】
【補正対象書類名】明細書
【補正対象項目名】０００５
【補正方法】変更
【補正の内容】
【０００５】
このような従来の遊技機では、遊技興趣が低下することが懸念される。
【手続補正３】
【補正対象書類名】明細書
【補正対象項目名】０００７
【補正方法】変更
【補正の内容】
【０００７】
手段１：判定を行う判定手段と、
前記判定手段による判定にて所定の結果が得られたことに基づいて遊技者に特典を付与しうる特典付与手段と、
遊技者による操作によって演出受付が許容される受付演出を発生させる受付演出実行手段と
を備え、
前記受付演出として、少なくとも第１の受付演出及び第２の受付演出が用意されており、
前記第１の受付演出は、
特定ＢＧＭが非抑制態様で可聴出力されているなかで発生しうるものであり、当該第１の受付演出が発生する場合は受付許容音が非抑制態様で可聴出力されうるようになっており、
前記第２の受付演出は、
非抑制態様で可聴出力されている前記特定ＢＧＭが抑制態様で可聴出力される状態または可聴出力されない状態になってから発生しうるものであり、当該第２の受付演出が発生する場合は受付許容音が非抑制態様で可聴出力されうるようになっており、
さらに、
前記第１の受付演出と前記第２の受付演出とでは遊技者に対して同じ操作を対象にした操作機会が付与されうるが、前記第１の受付演出に対応する演出受付が許容される期間内では、前記受付許容音の可聴出力が行われている状態である操作促進可聴状態が相対的に短い第一時間で終了され、前記第２の受付演出に対応する演出受付が許容される期間内では、前記受付許容音の可聴出力が行われている状態である操作促進可聴状態が前記第一時間よりも長い第二時間にわたって継続されるようにされており、
前記第１の受付演出及び前記第２の受付演出のうち少なくとも前記第１の受付演出では、前記受付許容音の可聴出力が行われている状態である前記操作促進可聴状態が終了された以降も、当該受付演出に対応する演出受付が許容される期間が継続されうるようになっており、
さらに、
前記第１の受付演出と前記第２の受付演出とは、１つの変動パターン内で順次に発生しうるものであり、
さらに、
前記特定ＢＧＭが抑制態様で可聴出力される状態または可聴出力されない状態になってから前記第２の受付演出が発生する場合は、演出受付が許容されることに関連したメッセージ表示が表示されるが、前記特定ＢＧＭが非抑制態様で可聴出力されているなかで前記第１の受付演出が発生する場合は、演出受付が許容されることに関連したメッセージ表示が表示されないようになっており、前記メッセージ表示は、前記第２の受付演出に対応する受付後演出が実行開始される時点においても非表示の状態にされておらず表示状態を維持しうる
ことを特徴とする遊技機。
【手続補正４】
【補正対象書類名】明細書
【補正対象項目名】０００８
【補正方法】削除
【補正の内容】
【手続補正書】
【提出日】平成31年2月28日(2019.2.28)
【手続補正１】
【補正対象書類名】特許請求の範囲
【補正対象項目名】全文
【補正方法】変更
【補正の内容】
【特許請求の範囲】
【請求項１】
商品の売上げに係る購買情報を処理する情報処理装置であって、
撮影装置によって撮影される人物の画像データであって、第１の表示部を含む複数の表示部に表示される１又は複数の人物の画像データを含む選択画面を、前記第１の表示部に表示させる表示制御手段と、
前記選択画面において人物の画像データが選択されると、当該選択された人物の画像データに映る人物に係る情報と、前記情報処理装置における処理対象の購買情報とを関連付けて記憶部に記憶させる関連付け手段と、
を有し、
前記表示制御手段は、前記第１の表示部以外の他の表示部に対応する情報処理装置における人物の画像データの選択状況に応じた前記選択画面を、前記第１の表示部に表示させることを特徴とする情報処理装置。
【請求項２】
前記表示制御手段は、前記他の表示部に対応する情報処理装置において選択された人物の画像データを識別可能な前記選択画面を、前記第１の表示部に表示させることを特徴とする請求項１に記載の情報処理装置。
【請求項３】
前記表示制御手段は、前記他の表示部に対応する情報処理装置において人物の画像データが選択されたことに応じて、当該選択された人物の画像データが非表示とされた前記選択画面を、前記第１の表示部に表示させることを特徴とする請求項１または２に記載の情報処理装置。
【請求項４】
前記表示制御手段は、前記第１の表示部に表示されてから所定時間が経過した人物の画像データが非表示とされた前記選択画面を、前記第１の表示部に表示させる表示することを特徴とする請求項１乃至３のいずれか１項に記載の情報処理装置。
【請求項５】
前記人物に係る情報は、前記人物の画像データに基づいて特定される前記人物の画像データに映る人物の年齢及び性別の内の少なくともいずれかであることを特徴とする請求項１乃至４のいずれか１項に記載の情報処理装置。
【請求項６】
前記表示制御手段は、前記選択画面を、前記情報処理装置の外部の表示部に表示させることを特徴とする請求項１乃至５のいずれか１項に記載の情報処理装置。
【請求項７】
前記選択画面では、前記他の表示部に対応する情報処理装置により選択されているか否かにかかわらず、前記選択画面に含まれる前記人物の画像データを選択することが可能であることを特徴とする請求項１乃至６のいずれか１項に記載の情報処理装置。
【請求項８】
前記表示制御手段は、前記選択画面に含まれる前記人物の画像データのうち、前記選択された人物の画像データを、ユーザの操作に基づいて前記選択画面から消去するように制御することを特徴とする請求項１乃至７のいずれか１項に記載の情報処理装置。
【請求項９】
撮影装置によって撮影される人物の画像データを管理する管理手段をさらに備え、
前記管理手段は、人物の画像データに対して当該管理手段で管理する順に連番となるように番号を付して管理し、
前記表示制御手段は、前記選択画面に含まれる前記人物の画像データのうち、前記他の表示部に対応する情報処理装置により選択されている人物の画像データが、前記選択画面において選択された人物の画像データよりも付された番号が前の番号である場合、前記表示制御手段は、前記他の情報処理装置により選択されている人物の画像データを前記選択画面から消去することを特徴とする請求項１乃至８のいずれか１項に記載の情報処理装置。
【請求項１０】
商品の売上げに係る購買情報を処理する情報処理装置の制御方法であって、
撮影装置によって撮影される人物の画像データであって、第１の表示部を含む複数の表示部に表示される１又は複数の人物の画像データを含む選択画面を、前記第１の表示部に表示させる表示制御工程と、
前記選択画面において人物の画像データが選択されると、当該選択された人物の画像データに映る人物に係る情報と、前記情報処理装置における処理対象の購買情報とを関連付けて記憶部に記憶させる関連付け工程と、
を有し、
前記表示制御工程では、前記第１の表示部以外の他の表示部に対応する情報処理装置における人物の画像データの選択状況に応じた前記選択画面を、前記第１の表示部に表示させることを特徴とする情報処理装置の制御方法。
【請求項１１】
コンピュータを請求項１乃至９のいずれか１項に記載の情報処理装置の各手段として機能させるためのプログラム。
【手続補正２】
【補正対象書類名】明細書
【補正対象項目名】０００７
【補正方法】変更
【補正の内容】
【０００７】
上記課題を達成するための一手段として、本発明の情報処理装置は以下の構成を有する。すなわち、商品の売上げに係る購買情報を処理する情報処理装置であって、撮影装置によって撮影される人物の画像データであって、第１の表示部を含む複数の表示部に表示される１又は複数の人物の画像データを含む選択画面を、前記第１の表示部に表示させる表示制御手段と、前記選択画面において人物の画像データが選択されると、当該選択された人物の画像データに映る人物に係る情報と、前記情報処理装置における処理対象の購買情報とを関連付けて記憶部に記憶させる関連付け手段と、を有し、前記表示制御手段は、前記第１の表示部以外の他の表示部に対応する情報処理装置における人物の画像データの選択状況に応じた前記選択画面を、前記第１の表示部に表示させることを特徴とする。
【手続補正書】
【提出日】平成31年3月8日(2019.3.8)
【手続補正１】
【補正対象書類名】特許請求の範囲
【補正対象項目名】全文
【補正方法】変更
【補正の内容】
【特許請求の範囲】
【請求項１】
認識対象画像に対して、探索領域を設定する第１の設定手段と、
前記探索領域内の複数カ所に、切り出し領域を設定する第２の設定手段と、
前記第２の設定手段によって設定された前記複数の切り出し領域それぞれに対応する画像を抽出し、当該抽出した各画像と辞書データとの比較を行うことにより各画像の候補文字情報を取得し、当該取得した各画像の候補文字情報の中から評価値の最も高い候補文字情報を、前記第１の設定手段で設定された探索領域の認識結果として出力する文字検出手段と、
を有することを特徴とする情報処理装置。
【請求項２】
さらに、次の文字に関する認識結果を出力するために、前記第１の設定手段が、前記文字検出手段で出力された前記認識結果に対応する切り出し領域の位置情報に基づいて、前記次の文字に関する探索領域を設定し、前記第２の設定手段が、当該設定された前記次の文字に関する探索領域内の複数個所に切り出し領域を設定し、前記文字検出手段が、前記次の文字に関する探索領域内に設定された複数の切り出し領域それぞれに対応する画像を抽出し、当該抽出した各画像と辞書データとの比較を行うことで各画像の候補文字情報を取得し、当該取得した各画像の候補文字情報の中から評価値の最も高い候補文字情報を、前記第１の設定手段で設定された前記次の文字に関する探索領域の認識結果として出力する、ことを特徴とする請求項１に記載の情報処理装置。
【請求項３】
前記文字検出手段で出力された前記認識結果を表示する表示手段と、
ユーザの指示に基づいて、前記表示手段で表示された認識結果の修正を実行する修正手段と、
前記修正手段で修正された後の認識結果に対応する切り出し領域の位置情報を取得する取得手段と、
を更に有し、
前記取得手段で取得された前記修正された後の認識結果に対応する切り出し領域の位置情報に基づいて、前記第１の設定手段が、次の文字に対する探索領域を再設定することにより、当該再設定された次の文字に対する探索領域に基づいて、前記第２の設定手段と前記文字検出手段とによる処理が再実行される
ことを特徴とする請求項２に記載の情報処理装置。
【請求項４】
前記修正された後の認識結果に対応する切り出し領域の位置情報に基づいて、前記第1の設定手段で次の文字に対する探索領域が再設定され、当該再設定された探索領域に基づいて、前記第２の設定手段と前記文字検出手段とによる処理が再実行された結果として出力された次の文字の認識結果の評価値と、前記修正される前の次の文字の認識結果の評価値とを比較することにより、前記次の文字に関する探索領域の認識結果を修正するか否か判断することを特徴とする請求項３に記載の情報処理装置。
【請求項５】
コンピュータを、請求項１乃至４のいずれか１項に記載の情報処理装置の各手段として機能させるためのプログラム。
【請求項６】
認識対象画像に対して、探索領域を設定する第１の設定ステップと、
前記探索領域内の複数カ所に、切り出し領域を設定する第２の設定ステップと、
前記第２の設定ステップで設定された前記複数の切り出し領域それぞれに対応する画像を抽出し、当該抽出した各画像と辞書データとの比較を行うことにより各画像の候補文字情報を取得し、当該取得した各画像の候補文字情報の中から評価値の最も高い候補文字情報を、前記第1の設定手段で設定された探索領域の認識結果として出力する文字検出ステップと、
を有することを特徴とする情報処理方法。
【請求項７】
さらに、次の文字に関する認識結果を出力するために、前記第１の設定ステップでは、前記文字検出ステップで出力された前記認識結果に対応する切り出し領域の位置情報に基づいて、前記次の文字に関する探索領域を設定し、前記第２の設定ステップでは、当該設定された前記次の文字に関する探索領域内の複数個所に切り出し領域を設定し、前記文字検出ステップでは、前記次の文字に関する探索領域内に設定された複数の切り出し領域それぞれに対応する画像を抽出し、当該抽出した各画像と辞書データとの比較を行うことで各画像の候補文字情報を取得し、当該取得した各画像の候補文字情報の中から評価値の最も高い候補文字情報を、前記第１の設定ステップで設定された前記次の文字に関する探索領域の認識結果として出力する、ことを特徴とする請求項６に記載の情報処理方法。
【手続補正２】
【補正対象書類名】明細書
【補正対象項目名】０００７
【補正方法】変更
【補正の内容】
【０００７】
上記課題を解決するために、本発明の情報処理装置は、認識対象画像に対して、探索領域を設定する第１の設定手段と、前記探索領域内の複数カ所に、切り出し領域を設定する第２の設定手段と、前記第２の設定手段によって設定された前記複数の切り出し領域それぞれに対応する画像を抽出し、当該抽出した各画像と辞書データとの比較を行うことにより各画像の候補文字情報を取得し、当該取得した各画像の候補文字情報の中から評価値の最も高い候補文字情報を、前記第１の設定手段で設定された探索領域の認識結果として出力する文字検出手段と、を有することを特徴とする。
【手続補正書】
【提出日】平成31年1月9日(2019.1.9)
【手続補正１】
【補正対象書類名】特許請求の範囲
【補正対象項目名】全文
【補正方法】変更
【補正の内容】
【特許請求の範囲】
【請求項１】
第１面と、前記第１面の反対側の第２面とを備える基板と、
前記基板の表示領域に設けられ、前記基板の前記第１面側に接触又は近接する物体の位置又は接触する物体の圧力をタッチ検出期間に検出する第１電極と、
前記表示領域の外周の少なくとも１辺に沿って複数設けられ、前記基板の前記第１面側に接触する物体の圧力を、圧力検出期間に検出する第２電極と、
前記基板と離隔して前記基板の前記第２面側に設けられ、前記第２電極との間に静電容量を形成する導電体と、
前記第１電極と対向する第３電極と、を有し、
前記圧力検出期間に、前記第１電極と前記第３電極は前記位置又は前記圧力を検出せず、
前記タッチ検出期間に、前記第１電極と前記第３電極との間の静電容量に基づいて、前記位置又は前記圧力が検出され、
前記圧力検出期間に、前記第２電極には駆動信号が供給され、
前記圧力検出期間に、前記第３電極には、前記駆動信号と同期した波形を有する信号が供給される検出装置。
【請求項２】
前記第１電極は第１の方向に延在しており、
前記第２電極は、前記第１の方向に沿った方向に複数配列される請求項１に記載の検出装置。
【請求項３】
前記第２電極は、第１の方向に沿った方向に複数配列されるとともに、前記第１の方向と交差する第２の方向に複数配列され、前記表示領域の少なくとも２辺に沿って設けられる請求項１に記載の検出装置。
【請求項４】
前記第２電極は、前記基板の前記第１面側に物体が接触した際の圧力の強さ又は圧力の一次元座標を検出する請求項１から請求項３のいずれか１項に記載の検出装置。
【請求項５】
前記第１電極は、第１の方向に延在するとともに第２の方向に配列し、
複数の前記第１電極と、前記第２電極との検出結果により、前記基板の前記第１面側に物体が接触した際の圧力の二次元座標を算出する、請求項１から請求項４のいずれか１項に記載の検出装置。
【請求項６】
前記表示領域の外側の額縁領域に、前記第３電極に接続された額縁配線が設けられており、
前記第３電極は、前記表示領域の中央部に設けられた第１部分と、前記表示領域の外周に沿って前記第１部分と前記額縁配線との間に設けられた第２部分とを含み、
前記第２電極は、前記第２部分と重畳して、前記第２部分よりも前記導電体側に配置される請求項１に記載の検出装置。
【請求項７】
前記第２部分は、前記第１部分と電気的に分離され、接触又は近接する物体を感知しない領域を含む、請求項６に記載の検出装置。
【請求項８】
前記第２電極と対向し、前記第２電極に対して前記導電体の反対側に設けられたシールド層を含み、
前記シールド層は、前記第３電極の前記第２部分である請求項６又は請求項７に記載の検出装置。
【請求項９】
前記第２電極と対向し、前記第２電極に対して前記導電体の反対側に設けられたシールド層を含む請求項１から請求項６のいずれか１項に記載の検出装置。
【請求項１０】
前記シールド層は、前記第２電極に供給される駆動信号と同期する波形を有する信号が供給される請求項８又は請求項９に記載の検出装置。
【請求項１１】
前記圧力検出期間に、前記第２電極と前記導電体との間の静電容量変化に基づいて前記圧力が検出される請求項１から請求項１０のいずれか１項に記載の検出装置。
【請求項１２】
請求項１から請求項１１のいずれか１項に記載の検出装置と、
前記第１電極と対向して行列配置された複数の画素電極と、
前記表示領域内において画像表示機能を発揮する表示機能層と、を有する表示装置。
【請求項１３】
前記第２電極は、前記画素電極と同層に設けられている請求項１２に記載の表示装置。
【請求項１４】
前記第２電極は、前記画素電極よりも前記第２面側の層に設けられている請求項１２に記載の表示装置。
【請求項１５】
前記第２電極は、前記第１電極と重畳する位置に設けられ、前記画素電極に画素信号を供給するための画素信号線と接続される請求項１２から請求項１４のいずれか１項に記載の表示装置。
【請求項１６】
前記画素電極に画素信号を供給して前記表示機能層の画像表示機能を実行させる表示動作と、前記第１面側に接触又は近接する物体を前記タッチ検出期間に検出するタッチ検出動作と、前記第２電極と前記導電体との間の静電容量変化に基づいて前記基板に加えられた圧力を前記圧力検出期間に検出する圧力検出動作とが時分割で行われる請求項１２から請求項１５のいずれか１項に記載の表示装置。
【請求項１７】
複数の画素と、
前記複数の画素に跨って、前記複数の画素電極の前記表示機能層とは反対の側に位置する共通電極と、を有し、
前記第１電極は前記共通電極である請求項１２から請求項１６のいずれか１項に記載の表示装置。
【請求項１８】
請求項１から請求項１１のいずれか１項に記載の検出装置と、
前記検出装置が組み込まれる筐体とを含み、
前記筐体は前記導電体を含む電子機器。
【請求項１９】
請求項１２から請求項１７のいずれか１項に記載の表示装置と、
前記表示装置が組み込まれる筐体とを含み、
前記筐体は前記導電体を含む電子機器。
【手続補正書】
【提出日】平成31年3月8日(2019.3.8)
【手続補正１】
【補正対象書類名】特許請求の範囲
【補正対象項目名】全文
【補正方法】変更
【補正の内容】
【特許請求の範囲】
【請求項１】
被写体の一部を撮影して得られた画像を取得する取得手段と、
前記得られた画像と被写体全体との間の相対位置を指定する指定手段と、
前記指定された相対位置に基づき、前記画像に含まれる特定領域を決定する決定手段と、
前記決定された特定領域のエッジ量を算出する算出手段と、
前記算出された前記特定領域におけるエッジ量が第１の閾値よりも大きい場合、前記特定領域に対して文字認識処理を実行する文字認識手段と
を有することを特徴とする情報処理装置。
【請求項２】
前記第１の閾値は、前記文字認識手段によって文字認識処理が既に行なわれた画像の前記特定領域に対応する領域のエッジ量に基づいて決定されることを特徴とする請求項１に記載の情報処理装置。
【請求項３】
前記取得手段は、一定の時間、前記被写体の一部を撮影して得られた複数の画像を取得し、
前記算出手段は、前記複数の画像の前記特定領域のエッジ量をそれぞれ算出し、
前記文字認識手段は、前記算出手段で算出された前記特定領域のエッジ量が最も多い画像の前記特定領域におけるエッジ量が前記第１の閾値よりも大きい場合、前記エッジ量が最も多い前記画像に含まれる前記特定領域に対して文字認識処理を実行することを特徴とする請求項１または２に記載の情報処理装置。
【請求項４】
前記算出された前記特定領域におけるエッジ量が前記第１の閾値よりも大きくない場合、前記取得手段は、撮影条件を変更して前記被写体の一部を撮影して得られた画像を取得し、
前記算出手段は、変更された撮影条件において撮影することにより得られた画像に含まれる前記特定領域のエッジ量を算出することを特徴とする請求項１から３のいずれか一項に記載の情報処理装置。
【請求項５】
前記文字認識手段によって文字認識処理が実行された画像に対応する、各画素がエッジ強度を有するエッジ画像を管理する管理手段をさらに有し、
前記文字認識手段は、前記管理手段で管理されている前記エッジ画像を用いて得られた前記第１の閾値を用いることを特徴とする請求項１から４のいずれか一項に記載の情報処理装置。
【請求項６】
前記管理手段は、前記文字認識手段によって文字認識処理が実行された結果の確信度が第２の閾値以上の場合における、前記文字認識処理が実行された画像に対応するエッジ画像を管理することを特徴とする請求項５に記載の情報処理装置。
【請求項７】
前記管理手段は、前記エッジ画像を、前記被写体における位置と関連付けて管理し、
前記文字認識手段は、前記特定領域の位置に対応する位置を含むエッジ画像から求まる前記対応する位置の閾値を、前記第１の閾値として用いることを特徴とする請求項５または６に記載の情報処理装置。
【請求項８】
前記特定領域の位置は、前記取得手段で取得した画像の特徴量から決定されることを特徴とする請求項７に記載の情報処理装置。
【請求項９】
前記文字認識処理の結果が反映されたテキスト領域を含む前記取得手段で取得した画像を表示する表示手段と、
前記表示手段で表示された画像から前記テキスト領域の選択を受け付ける受け付け手段と
をさらに有することを特徴とする請求項１から８のいずれか一項に記載の情報処理装置。
【請求項１０】
前記取得手段で取得した画像と、前記受け付け手段で選択を受け付けたテキスト領域の位置情報と、前記テキスト領域に含まれるテキストとを出力する出力手段をさらに有することを特徴とする請求項９に記載の情報処理装置。
【請求項１１】
被写体の一部を撮影して得られた画像を取得する取得ステップと、
前記得られた画像と被写体全体との間の相対位置を指定する指定ステップと、
前記指定された相対位置に基づき、前記画像に含まれる特定領域を決定する決定ステップと、
前記決定された特定領域のエッジ量を算出する算出ステップと、
前記算出された前記特定領域におけるエッジ量が第１の閾値よりも大きい場合、前記画像に含まれる前記特定領域に対して文字認識処理を実行する文字認識ステップと
を有することを特徴とする情報処理方法。
【請求項１２】
コンピュータを、請求項１から１０のいずれか一項に記載の各手段として機能させるためのプログラム。
【手続補正２】
【補正対象書類名】明細書
【補正対象項目名】０００７
【補正方法】変更
【補正の内容】
【０００７】
本発明に係る情報処理装置は、被写体の一部を撮影して得られた画像を取得する取得手段と、前記得られた画像と被写体全体との間の相対位置を指定する指定手段と、前記指定された相対位置に基づき、前記画像に含まれる特定領域を決定する決定手段と、前記決定された特定領域のエッジ量を算出する算出手段と、前記算出された前記特定領域におけるエッジ量が第１の閾値よりも大きい場合、前記特定領域に対して文字認識処理を実行する文字認識手段とを有することを特徴とする。
【手続補正書】
【提出日】平成31年3月11日(2019.3.11)
【手続補正１】
【補正対象書類名】特許請求の範囲
【補正対象項目名】全文
【補正方法】変更
【補正の内容】
【特許請求の範囲】
【請求項１】
買取者が買取を希望する買取品に関する買取情報を格納する買取情報データベースと、販売者が販売提供可能な提供原資に関する提供情報を格納する提供情報データベースと、前記買取情報と前記提供情報とをマッチングするマッチング手段と、前記マッチング手段によるマッチングの結果に基づいて買取者及び販売者の取引を処理する取引処理手段と、を備える商品売買システムであって、
前記マッチング手段は、買取品に相関する提供原資との関係からマッチングの成否を判断し、マッチング成立と判定した場合には、前記取引処理手段は、提供原資に相関された買取品に関して販売者が販売可能な販売情報を買取者に表示可能とし、
販売者による前記販売情報の登録は、前記マッチング手段によるマッチング成立に応ずる場合に可能とし、
販売者が希望する取引価格は、前記提供情報には含まれず、前記販売情報に含まれることを特徴とする商品売買システム。
【請求項２】
買取者及び販売者の所在地や連絡先に関する個人情報を格納する個人情報データベースを備え、
前記取引処理手段は、予め格納された個人情報のうち買取者の所在地に関する一部情報を取引成立前に販売者に表示可能とし、買取者の所在地に関する情報を取引成立後に販売者に表示可能としたことを特徴とする請求項１記載の商品売買システム。
【請求項３】
買取者が買取を希望する買取品に関する買取情報を格納する買取情報データベースと、販売者が販売提供可能な提供原資に関する提供情報を格納する提供情報データベースと、前記買取情報と前記提供情報とをマッチングするマッチング手段と、前記マッチング手段によるマッチングの結果に基づいて買取者及び販売者の取引きを処理する取引処理手段と、を備える商品売買システムにおける商品売買方法であって、
前記マッチング手段により、買取品に相関する提供原資との関係からマッチングの成否を判断し、マッチング成立と判定した場合には、前記取引処理手段により、買取品に相関された提供原資に関して販売者が販売可能な販売情報を買取者に表示可能とし、
販売者による前記販売情報の登録は、前記マッチング手段によるマッチング成立に応ずる場合に可能とし、
販売者が希望する取引価格は、前記提供情報には含まれず、前記販売情報に含まれることを特徴とする商品売買方法。
【請求項４】
前記商品売買システムは、買取者及び販売者の所在地や連絡先に関する個人情報を格納する個人情報データベースを備え、
前記取引処理手段は、予め格納された個人情報のうち買取者の所在地に関する一部情報を取引成立前に販売者に表示可能とし、買取者の所在地に関する情報を取引成立後に販売者に表示可能としたことを特徴とする請求項３記載の商品売買方法。
【手続補正書】
【提出日】平成31年3月7日(2019.3.7)
【手続補正１】
【補正対象書類名】特許請求の範囲
【補正対象項目名】全文
【補正方法】変更
【補正の内容】
【特許請求の範囲】
【請求項１】
請求書により発生した債権の消し込みを支援するための会計支援装置であって、
作成された請求書により発生した債権の債権内容をユーザーごとに管理する債権管理部と、
各ユーザーが口座を有する金融機関からの入金データを取得する入金データ取得部と、
取得された前記入金データに基づいて、管理されている前記債権の少なくとも一部を消し込む消込部と
を備え、
前記消込部は、ユーザーの前記入金データに含まれる各入金の取引内容の記載に基づいて前記各入金の入金者を判定し、前記取引先に対して前記ユーザーが保有する１又は複数の債権を関連づけて消し込みを行うことを特徴とする会計支援装置。